(57)【要約】【課題】遠隔操作装置を備える画像表示システムにおける、利用者の利便性の向上【解決手段】プロジェクションシステム１０には、１台のプロジェクタ１００に対して、２台の第１のリモートコントローラ２００、３００が付属されている。第１のリモートコントローラ２００は、無線／有線通信機能を備え、プロジェクタ１００による画像表示機能と、プロジェクタ１００の動作条件の設定や保守を行うための機能が割り付けられている。第２のリモートコントローラ３００は、プロジェクタ１００による画像表示に関する基本的な機能のみが割り付けられている。従って、プロジェクタ１００の操作に慣れている利用者（設置作業者等）と、プロジェクタ１００の操作に不慣れなエンドユーザとにおいて、リモートコントローラ２００、３００を使い分けることにより、各利用者の利便性を向上できる。【選択図】図１
2010074607.tif 000002
【特許請求の範囲】
【請求項１】
画像表示装置と、前記画像表示装置と通信可能な第１の遠隔操作装置および第２の遠隔操作装置と、から構成されている画像表示システムであって、
前記画像表示装置は、
前記第１の遠隔操作装置と有線通信を行うための第１の有線通信手段と、
前記第１の遠隔操作装置および前記第２の遠隔操作装置と無線通信行うための第１の無線通信手段と、
画像データに基づいて表示部に画像を表示する画像表示手段と、を備え、
前記第１の遠隔操作装置は、
前記画像表示装置と有線通信を行うための第２の有線通信手段と、
前記画像表示装置と無線通信を行うための第２の無線通信手段と、
前記第２の有線通信手段もしくは前記第２の無線通信手段を介して、前記画像表示装置による画像表示機能、画像表装置の設定機能および保守機能の実行を前記画像表示装置に対して指示するための第１の操作部と、を備え、
前記第２の遠隔操作装置は、
前記画像表示装置と無線通信を行うための第３の無線通信手段と、
前記第３の無線通信手段を介して、前記画像表示装置に備えられている機能のうちの一部の機能の実行を前記画像表示装置に対して指示するための第２の操作部と、を備える画像表示システム。
【請求項２】
請求項１記載の画像表示システムであって、
前記画像表示装置に備えられている機能のうちの一部の機能には、前記画像表示機能の少なくとも一部の機能が含まれる、画像表示システム。
【請求項３】
請求項１または請求項２記載の画像表示システムであって、
前記第１の有線通信手段と前記第２の有線通信手段は、双方向通信可能に構成されている、画像表示システム。
【請求項４】
請求項１ないし請求項３いずれか記載の画像表示システムであって、
前記画像表示装置は、固定設置されている、画像表示システム。
【請求項５】
請求項１ないし請求項４いずれか記載の画像表示システムであって、更に、
前記画像表示装置と通信可能な第３の遠隔操作装置を備え、
前記第３の遠隔操作装置は、
前記画像表示装置と無線通信を行うための第４の無線通信手段と、
前記第４の無線通信手段を介して、画像表示機能の少なくとも一部の機能および前記設定機能の少なくとも一部の機能の実行を前記画像表示装置に対して指示するための第３の操作部と、
を備える画像表示システム。
【発明の詳細な説明】
【技術分野】
【０００１】
本発明は、画像データに基づいて画像を表示する画像表示装置と、画像表示装置を遠隔から操作するための遠隔操作装置を備える画像表示システムに関し、特に、割り付けられている機能が異なる複数の遠隔操作装置を備える画像表示システムに関する。
【背景技術】
【０００２】
画像表示装置として、入力画像信号によって表される画像をスクリーン上に拡大投写するプロジェクタが利用されている。プロジェクタを利用するユーザは、パーソナルコンピュータから供給される画像信号に基づいてプロジェクタに画像を表示させながら、プロジェクタに付属している遠隔操作装置（以降、本明細書ではリモートコントローラと呼ぶ）を用いてプロジェクタを遠隔操作できる。
【０００３】
一般的に、１台のプロジェクタには１台のリモートコントローラが備えられている。リモートコントローラには、プレゼンテーション時に用いる基本的な機能だけでなく、プロジェクタの詳細な設定を行うための設定機能や、プロジェクタの保守を行うための操作部が設けられている。基本的な機能とは、例えば、入力切替やサムネイルの表示、プレゼンテーション実行指示やスクリーンに表示された画像を指し示すレーザポインタなどの機能を含む。また、設定機能には、設定画面のアスペクト比の設定やカラーバランスの設定等が含まれ、保守機能には、エラー情報やランプの総点灯時間などが含まれる。
【０００４】
【特許文献１】特開２００２−６４８８３号公報
【発明の開示】
【発明が解決しようとする課題】
【０００５】
プロジェクタを用いてプレゼンテーションを行う末端の利用者（エンドユーザ）にとっては、プロジェクタの保守機能・点検機能は必須ではなく、プロジェクタの保守・点検を行う設置作業者にとっては、プレゼンテーションを行うための基本的な機能は必須ではない。しかしながら、プロジェクタに備えられている従来のリモートコントローラには、基本的な機能、保守機能、点検機能など全ての機能が１台のリモートコントローラに集約されている。このため、各機能が割り付けられている操作部のボタン等の数が増加してしまい、エンドユーザ、設置作業者の双方にとって扱いづらいものとなっている。特に、プロジェクタの操作に慣れていないエンドユーザは、リモートコントローラに割り付けられている多種多様な機能の中から利用すべき機能を選択しなければならず、非常に煩雑であるとともに、誤ってプロジェクタの設定を変更してしまうという問題が生じる。このため、設置作業者およびエンドユーザの双方が扱いやすいリモートコントローラの提供が望まれている。
【０００６】
本発明は上述の課題に鑑みてなされたものであり、遠隔操作装置を備える画像表示システムにおける、設置作業者およびエンドユーザ双方の利便性の向上を目的とする。
【課題を解決するための手段】
【０００７】
本発明は、上述の課題の少なくとも一部を解決するためになされたものであり、以下の形態または適用例として実現することが可能である。
【０００８】
［適用例１］
画像表示装置と、前記画像表示装置と通信可能な第１の遠隔操作装置および第２の遠隔操作装置と、から構成されている画像表示システムであって、前記画像表示装置は、前記第１の遠隔操作装置と有線通信を行うための第１の有線通信手段と、前記第１の遠隔操作装置および前記第２の遠隔操作装置と無線通信行うための第１の無線通信手段と、画像データに基づいて表示部に画像を表示する画像表示手段と、を備える。前記第１の遠隔操作装置は、前記画像表示装置と有線通信を行うための第２の有線通信手段と、前記画像表示装置と無線通信を行うための第２の無線通信手段と、前記第２の有線通信手段もしくは前記第２の無線通信手段を介して、前記画像表示装置に備えられている機能の実行を前記画像表示装置に対して指示するための第１の操作部と、を備える。前記第２の遠隔操作装置は、前記画像表示装置と無線通信を行うための第３の無線通信手段と、前記第３の無線通信手段を介して、前記画像表示装置に備えられている機能のうちの一部の機能の実行を前記画像表示装置に対して指示するための第２の操作部と、を備える。
【０００９】
適用例１の画像表示システムによれば、第１の遠隔操作装置には、画像表示装置の画像表示機能、設定機能及び保守機能の実行指示を行うための第１の操作部と、画像表示装置と有線通信を行うための有線通信手段と無線通信を行うための無線通信手段とが備えられている。従って、無線通信では電波到達が困難な距離離れた位置から画像表示装置の設定・保守を行う場合に、確実に画像表示装置の保守・点検を行うことができる。よって、画像表示装置の設置作業者の操作性を向上できる。また、適用例１の画像表示システムによれば、第２の遠隔操作装置の第２の操作部には、画像表示機能の少なくとも一部の機能の実行を指示できるのみである。従って、エンドユーザは第２の遠隔操作装置を利用することにより、多種多様な機能の中から利用すべき機能を選択するという煩雑な操作を行うことなく、簡易に画像表示装置を操作できる。
【００１０】
［適用例２］
適用例１の画像表示システムにおいて、前記画像表示装置に備えられている機能のうちの一部の機能には、前記画像表示機能の少なくとも一部の機能が含まれる。適用例２の画像表示システムによれば、第２の操作部には、画像表示機能の少なくとも一部の機能の実行指示が行えるのみであるので、画像表示装置の操作になれていないエンドユーザは、容易に画像表示機能を選択・利用できる。また、第２の遠隔操作装置は、設定機能の実行指示を行うことができないように構成されているので、画像表示装置の操作になれていないエンドユーザが誤って画像表示装置の設定を変更してしまう可能性を低減できる。よって、画像表示装置の設置作業者およびエンドユーザの双方の利便性を向上できる。
【００１１】
［適用例３］
適用例１の画像表示システムであって、前記第１の有線通信手段と前記第２の有線通信手段は、双方向通信可能に構成されている。適用例３の画像表示システムによれば、第１の遠隔操作装置は、画像表示装置からの通信を受信できる。よって、設置作業者は、種々の情報（例えば、第１の遠隔操作装置から送信した設定命令の成功可否に関する情報や、保守情報等）を、第１の遠隔操作装置において確認できる。
【００１２】
［適用例４］
適用例１ないし適用例３いずれかの画像表示システムであって、前記画像表示装置は、固定設置されている。画像表示装置が固定設置されている場合、画像表示装置の動作条件の設定は、一般的に設置時に一度行われる。よって、適用例４の画像表示システムによれば、動作条件の設定を行う第１の遠隔操作装置と、画像表示処理に関する基本的な操作を行う第２の遠隔操作装置とが別体で構成されているので、動作条件の設定を行う必要のないエンドユーザが誤って画像表示装置の設定を変更してしまう可能性を低減できる。
【００１３】
［適用例５］
適用例１ないし適用例４いずれかの画像表示システムであって、更に、前記画像表示装置と通信可能な第３の遠隔操作装置を備え、前記第３の遠隔操作装置は、前記画像表示装置と無線通信を行うための第４の無線通信手段と、前記第４の無線通信手段を介して、画像表示機能の少なくとも一部の機能および前記設定機能の少なくとも一部の機能の実行を前記画像表示装置に対して指示するための第３の操作部と、を備える。従って、適用例５の画像表示システムによれば、第３の遠隔操作装置を利用することにより、画像表示装置の動作条件の設定操作と画像表示機能を利用できる。第１の遠隔操作装置では種々の機能が割り付けられている分、大型で使いにくく、また、第２の遠隔操作装置では利用可能な機能が限定されているため、画像表示装置の操作に慣れているエンドユーザが画像表示装置を利用する場合や、画像表示装置が固定設置ではなく使用の都度設置される場合において、その環境や設置位置に併せて画像表示装置の動作条件を設定することができるという利点がある。
【００１４】
本発明において、上述した種々の態様は、適宜、組み合わせたり、一部を省略したりして適用することができる。
【発明を実施するための最良の形態】
【００１５】
Ａ．第１実施例：
Ａ１．システム概要：
図１は、第１実施例におけるプロジェクションシステムについて例示する説明図である。プロジェクションシステム１０は、プロジェクタ１００と、第１のリモートコントローラ２００と、第２のリモートコントローラ３００とを備える。プロジェクタ１００は、接続されている外部機器から取得した画像データに応じて光学像を形成し、形成した光学像を、投写レンズを介してスクリーンＳＣに投写する。第１のリモートコントローラ２００は、プロジェクタ１００による画像表示処理に関する基本的な機能と、プロジェクタ１００の動作条件の設定や保守を行うための機能を実行するための各種ボタンを供える。第２のリモートコントローラ３００は、プロジェクタ１００による画像表示処理に関する基本的な機能のみを実行するための各種ボタンを供える。すなわち、第１実施例のプロジェクションシステム１０には、１台のプロジェクタ１００に対して、２台のリモートコントローラ２００、３００が付属されている。第１のリモートコントローラ２００は、プロジェクタ１００と有線通信および無線通信により通信可能に構成されている。第２のリモートコントローラ３００は、プロジェクタ１００と無線通信のみ可能に構成されている。
【００１６】
第１実施例では、プロジェクタ１００は、固定設置されているスクリーンＳＣに画像を投写可能な任意の場所に固定設置される。そのため、設置時にプロジェクタ１００の動作条件の設定を行えば、使用の都度、動作条件の設定を行う必要がない。このような場合、プロジェクタ１００の設置作業を行う設置作業者が、設置時に第１のリモートコントローラ２００を用いてプロジェクタ１００の種々の動作条件の設定を行うことにより、その後、プロジェクタ１００を利用する利用者（エンドユーザ）は、使用の都度、プロジェクタ１００の動作条件を設定しなくとも、プロジェクタ１００の設置環境に合わせて設定された動作条件下で、第２のリモートコントローラ３００を利用してスクリーンＳＣへの画像表示を行うことができる。
【００１７】
ここで、設置作業者がプロジェクタ１００の動作条件の設定機能や保守機能は、プロジェクタ１００の操作に不慣れなエンドユーザには不要な機能である。よって、第１実施例では、設置作業者とエンドユーザとにおいて、利用するリモートコントローラ２００を第１のリモートコントローラ２００と第２のリモートコントローラ３００とに分け、第２のリモートコントローラ３００には、第１のリモートコントローラ２００に割り付けられている機能のうちエンドユーザに必要と考えられる一部のみが割り付けられている。
【００１８】
また、第１のリモートコントローラ２００に、無線通信機能だけでなく、有線通信機能を設けて、無線通信では通信状況が不安定な場合には通信状況が安定している有線通信でプロジェクタ１００と通信を行えるようにしている。一般的に、遠隔から機器を操作するリモートコントローラは、接続ケーブルなどの取り回しを簡易にするために、無線通信のみによって通信可能に構成されているが、赤外線などの無線通信では、障害物が存在して電波が遮断されるなど通信状況が安定しないことがある。このような場合に、有線通信を利用でき、好適である。
【００１９】
図２は、第１実施例の第１のリモートコントローラ２００の概略構成について説明する説明図である。第１のリモートコントローラ２００は、主として設置作業者によりプロジェクタ１００の設置時に利用される多機能なリモートコントローラである。第１のリモートコントローラ２００には、プロジェクタ１００との間の無線通信を行うための無線通信部２２０、プロジェクタ１００と有線通信を行うための有線通信部２３０、種々の操作ボタン、および、表示パネル２４０が設けられている。第１実施例では、第１のリモートコントローラ２００は、画像表示機能と、設定機能と、保守（メンテナンス）機能と、を実行するためのボタンが設けられている。
【００２０】
設定機能には、例えば、プロジェクタ１００の傾きに起因して表示画像が台形状に歪む台形歪みを補正する台形補正機能、表示画像のアスペクト比を設定するアスペクト比設定機能、表示画像のフォーカス位置を設定するフォーカス機能、表示画像の色合いを決定するカラーバランスやグレースケール、スクリーンＳＣの歪みに起因して表示画像に生じる凹凸歪みを補正する凹凸歪み補正機能、プロジェクタ１００のＩＰアドレス等のネットワーク接続関連の設定を行うネットワーク設定機能、プロジェクタ１００の固有識別子（ＩＤ）を書き込むＩＤ書き込み機能、画質を調整する画質調整機能、セキュリティ機能等が含まれる。
【００２１】
メンテナンス機能には、例えば、光源の総点灯時間やフィルターの目詰まりの状態、エラー履歴の通知など種々の機能が含まれる。
【００２２】
例えば、台形補正機能の実行を指示するためには、操作ボタン２０２を押下する。この結果、台形補正機能の実行指示コマンドがプロジェクタ１００に対して送信される。また、例えば、ネットワーク設定機能の実行を指示するためには、操作ボタン２０３を押下する。操作ボタン２０３の押下により表示パネル２４０にネットワークを設定するための情報が表示される。設置作業者は、表示パネル２４０に表示されている情報に基づいて、ネットワーク設定を行う。
【００２３】
また、メンテナンス機能の実行を指示するためには、操作ボタン２０４を押下する。操作ボタン２０４の押下によりメンテナンスを行うためのメンテナンス情報を取得するための取得指示コマンドがプロジェクタ１００に対して送信される。第１のリモートコントローラ２００は、プロジェクタ１００からの応答コマンドを受信し、表示パネル２４０にメンテナンス情報を表示する。メンテナンス情報とは、例えば、光源ランプの総点灯時間やフィルターの目詰まりの状況、エラー履歴等が含まれる。設置作業者は、表示パネル２４０に表示されているメンテナンス情報に基づいて、光源ランプの交換やフィルターの清掃などプロジェクタ１００のメンテナンスを行う。
【００２４】
また、画像表示機能の実行を指示するために、投影ボタン２０９ａ、映像ボタン２０９ｂを押下する。これらのボタン押下により、外部機器から取得した画像データにより表される画像もしくは予め内蔵されているテストデータにより表されるテスト画像がスクリーンＳＣに表示される。
【００２５】
上記の操作ボタンの他、第１のリモートコントローラ２００には、プロジェクタ１００の電源のオン／オフを制御するための電源ボタン２０１、画像をスクロールしたり、スライドを切り換えたりする画像処理を行うための操作ボタン２０５、操作を決定するための決定ボタン２０６、表示画像の画質を調整するための各種ボタンを含む画質調整部２０７、現在のプロジェクタ１００の動作条件の設定内容を呼び出して表示パネル２４０もしくはスクリーンＳＣに表示する設定呼出ボタン２０８等が含まれる。
【００２６】
図３は、第１実施例における第２のリモートコントローラ３００の概略構成を例示する説明図である。第２のリモートコントローラ３００は、主としてエンドユーザによりプロジェクタ１００を用いた画像表示時に利用される基本的な機能のみを実行指示可能に構成されたリモートコントローラである。第２のリモートコントローラ３００には、種々の操作ボタンやポインタ、プロジェクタ１００と無線通信を行うための無線通信部３２０、レーザポインタ３６０を備える。第２のリモートコントローラ３００には、例えば、プロジェクタ１００の電源を投入するための電源ボタン３０１，入力切替を行うための入力切替ボタン３０２，画像データのサムネイルを表示するためのサムネイルボタン３０３、画像をスクロールしたり、スライドを切り換えたりするための操作ボタン３０４、操作を決定するための決定ボタン３０５、プロジェクタ１００の音声出力のオン／オフを切り換えるためのＡ／Ｖミュートボタン３０６、レーザポインタ３６０を動作させるためのポインタボタン３０７等が含まれる。
【００２７】
例えば、画像データのサムネイルを表示する場合、利用者（エンドユーザ）はサムネイルボタン３０３を押下する。サムネイルボタン３０３押下により、サムネイル表示指示コマンドがプロジェクタ１００に対して送信される。プロジェクタ１００は、この指示コマンドを受信し、サムネイルをスクリーンＳＣに表示する。
【００２８】
Ａ２．機能ブロック：
Ａ２−１．プロジェクタ１００の機能ブロック：
図４は、第１実施例におけるプロジェクタ１００の機能ブロックを例示する説明図である。プロジェクタ１００は、ＣＰＵ１１０と、無線通信部１２０と，有線通信部１３０と、画像形成部１４０と、投写レンズ１５０と、通信制御部１１２と、画像取得部１１４と、画像処理部１１６と、メモリ１１８とを備える。ＣＰＵ１１０は、プロジェクタ１００全体の動作を制御する。
【００２９】
無線通信部１２０は、受信部１２１と送信部１２２とを備えており、各リモートコントローラ２００，３００と無線通信可能に構成されている。受信部１２１は各リモートコントローラ２００，３００からの機能の実行のコマンドを受信する。送信部１２２は、第１のリモートコントローラ２００に対して、指示コマンドに対する応答コマンドを送信する。無線通信としては、例えば、赤外線通信を適用可能である。
【００３０】
有線通信部１３０は、第１のリモートコントローラ２００と有線接続するためのケーブルを接続する接続インタフェースを備えており、ケーブルを介して第１のリモートコントローラ２００と接続され、コマンドの授受を行う。
【００３１】
通信制御部１１２は、無線通信部１２０および有線通信部１３０を介して第１のリモートコントローラ２００および第２のリモートコントローラ３００との間で行われる通信を制御する。
【００３２】
メモリ１１８は、プロジェクタ１００の動作条件が格納された設定情報１１８ａとプロジェクタ１００の保守に用いられる保守情報１１８ｂが記憶されている。設定情報１１８ａには、例えば、台形歪みを補正するための補正値や、設定されているカラーモード等を表す情報が格納されている・保守情報１１８ｂには、例えば、光源ランプの総点灯時間やフィルターの目詰まりの状態を表す情報が格納されている。
【００３３】
画像取得部１１４は、外部機器との接続インタフェースを備えており、接続インタフェースに接続された外部機器から画像データを取得し、取得した画像データを画像処理部１１６に受け渡す。画像処理部１１６は、画像取得部１１４から受け渡された画像データに種々の画像処理を施して補正画像データを生成し、補正画像データを画像形成部１４０へ受け渡す。種々の画像処理とは、例えば、輝度やコントラスト、色合いなど画質の調整の他、台形歪みの補正やアスペクト比の補正などの種々の処理を含む。
【００３４】
画像形成部１４０は、光源、光源を駆動する光源駆動部、液晶ライトバルブ、液晶ライトバルブを駆動する液晶ライトバルブ駆動部、投写レンズ１５０を調整する調整部等を含んでおり、画像処理部１１６から受け渡された補正画像データに基づいて光学像を形成し投写レンズ１５０に向けて射出する。投写レンズ１５０は、画像形成部１４０によって形成された光学像をスクリーンＳＣ上に拡大投写する。
【００３５】
Ａ２−２．第１のリモートコントローラ２００の機能ブロック：
図５は、第１実施例における第１のリモートコントローラ２００の機能ブロックを例示する説明図である。第１のリモートコントローラ２００は、ＣＰＵ２１０、無線通信部２２０，有線通信部２３０、表示パネル２４０と、操作部２５０と、通信制御部２１２と、表示制御部２１４と、リモコン制御部２１６と、メモリ２１８とを備える。ＣＰＵ２１０は、第１のリモートコントローラ２００全体の動作を制御する。
【００３６】
無線通信部２２０は、受信部２２１と送信部２２２とを備えており、プロジェクタ１００と無線通信可能に構成されている。無線通信としては、例えば、赤外線通信を適用可能である。受信部２２１はプロジェクタ１００からの応答コマンドを受信する。送信部２２２は、プロジェクタ１００に対して、機能の実行を指示する指示コマンドを送信する。
【００３７】
有線通信部２３０は、プロジェクタ１００と有線接続するためのケーブルを接続する接続インタフェースを備えており、接続されたケーブルを介してプロジェクタ１００とコマンドの授受を行う。
【００３８】
通信制御部２１２は、無線通信部２２０および有線通信部２３０を介してプロジェクタ１００との間で行われる通信を制御する。
【００３９】
操作部２５０は、プロジェクタ１００の機能の実行指示コマンドに関連付けられた複数のボタンを供える。ＣＰＵ２１０は、操作部２５０のボタンが押下されると、押下されたボタンに割り付けられている実行指示コマンドを、送信部２２２を介してプロジェクタ１００に対して送信する。表示パネル２４０は、液晶パネルにより構成されている。表示制御部２１４は、種々の情報（例えば、メンテナンス情報）を表示パネル２４０に表示する。なお、以降、明細書において「機能が割り付けられている」とは、操作部２５０の各種操作キーとプロジェクタ１００の機能とが対応付けられていることを意味する。
【００４０】
リモコン制御部２１６は、操作ボタンの押下などの利用者操作に基づいて指示コマンドを生成し、無線通信部２２０、有線通信部２３０を介してプロジェクタ１００に対して送信する。
【００４１】
メモリ２１８には、プロジェクタ１００から取得した種々の情報、例えば応答コマンドに含まれている光源ランプの総点灯時間やエラー履歴等が記憶されている。
【００４２】
Ａ２−３．第２のリモートコントローラ３００の機能ブロック：
図６は、第１実施例における第２のリモートコントローラ３００の機能ブロックを例示する説明図である。第２のリモートコントローラ３００は、ＣＰＵ３１０、無線通信部３２０，通信制御部３１２と、操作部３５０とを備える。ＣＰＵ３１０は、第２のリモートコントローラ３００全体の動作を制御する。ばお、レーザポインタ３６０の図示は省略している。
【００４３】
無線通信部３２０は、送信部３２２を備えており、プロジェクタ１００と無線通信可能に構成されている。無線通信としては、例えば、赤外線通信を適用可能である。送信部３２２は、プロジェクタ１００に対して、機能の実行を指示する指示コマンドを送信する。通信制御部３１２は、無線通信部３２０を介してプロジェクタ１００との間で行われる通信を制御する。
【００４４】
操作部３５０は、プロジェクタ１００の機能の実行指示コマンドが関連付けられた複数のボタンを供える。ＣＰＵ１１０は、操作部３５０のボタンが押下されると、押下されたボタンに割り付けられている実行指示コマンドを、無線通信部３２０を介してプロジェクタ１００に対して送信する。
【００４５】
リモコン制御部３１６は、操作ボタンの押下などの利用者操作に基づいて指示コマンドを生成し、無線通信部３２０を介してプロジェクタ１００に対して送信する。
【００４６】
以上説明した第１実施例のプロジェクションシステム１０によれば、プロジェクタ１００に備えられている全ての機能（画像表示機能・保守機能・設定機能）が割り付けられた第１のリモートコントローラ２００と画像表示機能の基本的な機能のみが割り付けられた第２のリモートコントローラ３００とが備えられている。従って、プロジェクタ１００の操作に慣れている利用者（設置作業者等）と、プロジェクタ１００の操作に不慣れなエンドユーザとにおいて、リモートコントローラ２００、３００を使い分けることにより、各利用者の利便性を向上できる。
【００４７】
また、第１実施例のプロジェクションシステム１０によれば、第１のリモートコントローラ２００には無線通信部２２０だけでなく有線通信部２３０が設けられている。従って、無線通信では電波到達が困難な距離離れた位置から画像表示装置の設定・保守を行う場合に、確実に画像表示装置の保守・点検を行うことができる。よって、画像表示装置の設置作業者の操作性を向上できる。
【００４８】
また、第１実施例の画像表示システム１０によれば、第２の遠隔操作装置の第２の操作部には、画像表示機能の少なくとも一部の機能のみが割り付けられている。具体的には、第２のリモートコントローラ３００の操作部３５０には、プロジェクタ１００による画像表示処理に関係する基本的な機能のみが割り付けられており、プロジェクタ１００の設定・保守機能は割り付けられていない。従って、エンドユーザは第２のリモートコントローラ３００を利用することにより、多種多様な機能の中から利用すべき機能を選択するという煩雑な操作を行うことなく、簡易に画像表示装置による画像表示を行うことができる。また、第２のリモートコントローラ３００には、設定機能が割り付けられていないので、プロジェクタ１００の操作になれていないエンドユーザが誤ってプロジェクタ１００の設定を変更してしまう虞を低減できる。よって、プロジェクタ１００の設置作業者およびエンドユーザの双方の利便性を向上できる。
【００４９】
また、第１実施例のプロジェクションシステム１０によれば、第１のリモートコントローラ２００は、プロジェクタ１００と双方向通信可能に構成されている。よって、設置作業者は、種々の情報（例えば、第１のリモートコントローラ２００から送信した設定命令の成功可否に関する応答コマンドや、保守情報等）を、第１のリモートコントローラ２００において確認できる。
【００５０】
第１実施例の第２のリモートコントローラ３００には、スクリーンＳＣに表示されている画像を指し示すための指示補助手段としてのレーザポインタが備えられている。従って、利用者は、スクリーンＳＣに表示されている画像の所望の箇所を簡易に指し示すことができる。
【００５１】
Ｂ．第２実施例：
第２実施例では、第１のリモートコントローラ２００、第２のリモートコントローラ３００に加えて、プロジェクタ１００の設定機能の少なくとも一部の実行指示を行うことができる第３のリモートコントローラ４００を備えるプロジェクションシステム１０ａについて説明する。
【００５２】
図７は、第２実施例におけるプロジェクションシステムについて例示する説明図である。プロジェクションシステム１０ａは、プロジェクタ１００と、第１のリモートコントローラ２００と、第２のリモートコントローラ３００と、第３のリモートコントローラ４００とを備える。すなわち、第２実施例のプロジェクションシステム１０ａには、１台のプロジェクタ１００に対して、３台のリモートコントローラ２００、３００および４００が付属されている。プロジェクタ１００、第１のリモートコントローラ２００および第２のリモートコントローラ３００は第１実施例と同様である。
【００５３】
第３のリモートコントローラ４００は、プロジェクタ１００による画像表示処理に関する基本的な機能と、プロジェクタ１００の動作条件の設定機能の一部の機能が割り付けられた各種ボタンを供える。
【００５４】
図８は、第２実施例における第３のリモートコントローラ４００の概略構成を例示する説明図である。第３のリモートコントローラ４００は、主としてエンドユーザによりプロジェクタ１００を用いた画像表示時に利用される基本的な機能と、設定機能の一部を実行指示可能に構成されたリモートコントローラである。第３のリモートコントローラ４００は、種々の操作ボタンやレーザポインタ４６０、プロジェクタ１００と無線通信を行うための無線通信部４２０を備える。
【００５５】
第３のリモートコントローラ４００には、例えば、プロジェクタ１００の電源を投入するための電源ボタン４０１，入力切替を行うための入力切替ボタン４０２，画像をスクロールしたり、スライドを切り換えたりするための操作ボタン４０３ａ、４０３ｂ、操作を決定するための決定ボタン４０４、プロジェクタ１００の音声出力のオン／オフを切り換えるためのＡ／Ｖミュートボタン４０５、レーザポインタのオン／オフを切り換えるためのポインタボタン４０６、プロジェクタ１００の音量を調整するための音量調整ボタン４０７等のように、画像表示時に利用される基本的な機能を実行するための操作ボタンを備える。
【００５６】
また、第３のリモートコントローラ４００は、台形歪みや凹凸歪みをプロジェクタ１００に自動補正させるための自動補正ボタン４０８ａ，カラーモードを設定するためのカラーモードボタン４０８ｂ、スクリーンＳＣに表示されている画像のアスペクト比を設定するためのアスペクトボタン４０８ｃ，スクリーンＳＣに表示されている画像の拡大・縮小を行うためのズームボタン４０９等のように、プロジェクタ１００の動作条件を設定するための操作ボタンも含まれる。ただし、一般的に、エンドユーザが、設置作業者による動作条件の設定ほど詳細に亘って設定することは無いので、第３のリモートコントローラ４００は、プロジェクタ１００の設定機能のうち、一部の機能のみを指示可能に構成されている。なお、第３のリモートコントローラ４００が指示可能な「設定機能の一部の機能」とは、任意に設定可能であるが、例えば、台形歪みや凹凸歪み、カラーモードやアスペクト比などスクリーンＳＣに表示される表示画像の画質に関する機能とすることが好ましい。
【００５７】
スクリーンＳＣに表示される表示画像のアスペクト比を調整する場合、利用者（エンドユーザ）はアスペクトボタン４０８ｃを押下する。アスペクトボタン４０８ｃの押下により、アスペクト比調整指示コマンドがプロジェクタ１００に対して送信される。プロジェクタ１００は、この指示コマンドを受信し、アスペクト比を調整する。なお、アスペクト比の調整は、プロジェクタ１００による自動調整でもよいし、利用者に調整値を入力させて調整してもよい。
【００５８】
以上説明した第２実施例のプロジェクションシステム１０ａによれば、第３のリモートコントローラ４００を利用することにより、プロジェクタ１００の動作条件の設定操作と画像表示処理に関する基本的な操作を行うことができる。第１のリモートコントローラ２００では種々の機能が割り付けられている分、大型で使いにくく、また、第２のリモートコントローラ３００では利用可能な機能が限定されているため、プロジェクタ１００の操作に慣れているエンドユーザがプロジェクタ１００を利用する場合や、プロジェクタ１００が固定設置ではなく使用の都度設置される場合において、その環境や設置位置に併せてプロジェクタ１００の動作条件を設定することができるという利点がある。
【００５９】
Ｃ．変形例：
（１）上述の第１実施例、第２実施例では、プロジェクタ１００の設定・保守機能について種々の例を挙げているが、プロジェクタ１００の設定・保守機能は任意に種々の機能を設定可能である。
【００６０】
（２）第２実施例では、プロジェクタ１００は固定されておらず使用の都度、設置されるとされているが、プロジェクタ１００は固定設置されていても良い。この場合においても、第３のリモートコントローラ４００からカラーモードや画面自動補正を実行する指示コマンドを送信可能としてもよい。なお、この場合には、プロジェクタ１００の使用後に、動作条件の設定内容を変更前の設定内容に初期化するためのリセットボタンを設けたり、電源オフ処理時に、自動的に変更前の設定内容に初期化した上で電源を切断したりしてもよい。こうすれば、使用の都度、設置作業者が設定した動作条件で表示を開始できる。
【００６１】
（３）上述の第１実施例、第２実施例では、第１のリモートコントローラ２００と第２のリモートコントローラ３００のそれぞれが独立してプロジェクタ１００と通信可能に構成されているが、例えば、第１のリモートコントローラ２００と第２のリモートコントローラ３００とを通信可能に構成し、第２のリモートコントローラ３００からのプロジェクタ１００の指示コマンドは、第１のリモートコントローラ２００に中継され、プロジェクタ１００に対して送信されるように構成してもよい。こうすれば、第２のリモートコントローラ３００の利用可能位置を幅広く設定できる。
【００６２】
（４）第１実施例において、第１のリモートコントローラ２００にはレーザポインタが設けられていないが、レーザポインタを第１のリモートコントローラ２００に設けても良いことは言うまでもない。
【００６３】
（５）上述の第１実施例、第２実施例では、指示補助手段としてレーザポインタを例示しているが、例えば、伸張する棒状部材など種々の物理的な指示手段を用いても良い。
【００６４】
以上、本発明の種々の実施例について説明したが、本発明はこれらの実施例に限定されず、その趣旨を逸脱しない範囲で種々の構成をとることができる。
【図面の簡単な説明】
【００６５】
【図１】第１実施例におけるプロジェクションシステム１０について例示する説明図。
【図２】第１実施例の第１のリモートコントローラ２００の概略構成について説明する説明図。
【図３】第１実施例における第２のリモートコントローラ３００の概略構成を例示する説明図。
【図４】第１実施例におけるプロジェクタ１００の機能ブロックを例示する説明図る。
【図５】第１実施例における第１のリモートコントローラ２００の機能ブロックを例示する説明図。
【図６】第１実施例における第２のリモートコントローラ３００の機能ブロックを例示する説明図。
【図７】第２実施例におけるプロジェクションシステム１０ａについて例示する説明図。
【図８】第２実施例における第３のリモートコントローラ４００の概略構成を例示する説明図。
【符号の説明】
【００６６】
１０、１０ａ…プロジェクションシステム、１００…プロジェクタ、１１０…ＣＰＵ、１１２…通信制御部、１１４…画像取得部、１１６…画像処理部、１１８…メモリ、１１８ａ…設定情報、１１８ｂ…保守情報、１２０…無線通信部、１２１…受信部、１２２…送信部、１３０…有線通信部、１４０…画像形成部、１５０…投写レンズ、２００…第１のリモートコントローラ、２０１、２０２、２０３、２０４，２０５…操作ボタン、２０６…決定ボタン、２０７…画質調整部、２０８…設定呼出ボタン、２１０…ＣＰＵ、２１２…通信制御部、２１４…表示制御部、２１６…リモコン制御部、２１８…メモリ、２２０…無線通信部、２２１…受信部、２２２…送信部、２３０…有線通信部、２４０…表示パネル、２５０…操作部、３００…第２のリモートコントローラ、３０１…電源ボタン、３０２…入力切替ボタン、３０３…サムネイルボタン、３０４…操作ボタン、３０５…決定ボタン、３０６…Ａ／Ｖミュートボタン、３１０…ＣＰＵ、３１２…通信制御部、３１６…リモコン制御部、３２０…無線通信部、３２２…送信部、３５０…操作部、４００…第３のリモートコントローラ、４０１…電源ボタン、４０２…入力切替ボタン、４０３ａ，４０３ｂ…操作ボタン、４０４…決定ボタン、４０５…Ａ／Ｖミュートボタン、４０６…ポインタボタン、４０７…音量調整ボタン、４０８ａ…自動補正ボタン、４０８ｂ…カラーモードボタン、４０８ｃ…アスペクトボタン、４０９…ズームボタン、４２０…無線通信部、４６０…レーザポインタ
【図１】
2010074607.tif 000003
【図２】
2010074607.tif 000004
【図３】
2010074607.tif 000005
【図４】
2010074607.tif 000006
【図５】
2010074607.tif 000007
【図６】
2010074607.tif 000008
【図７】
2010074607.tif 000009
【図８】
2010074607.tif 000010